(57)【特許請求の範囲】
【請求項１】
第１の下り制御情報（DCI）又は第２のDCIを生成し、前記第１のDCIのフォーマットは前記第２のDCIのフォーマットに含まれる全てのフィールド及び前記フィールド以外のフィールドを含み、前記第１のDCIのフォーマットに含まれる周波数領域情報フィールドは全送信帯域の一部である狭帯域におけるPhysical Resource Block（PRB）の個数を示し、前記第１のDCIのフォーマットに含まれる時間領域情報フィールドは時間領域におけるPhysical downlink shared channel(PDSCH)の繰り返し回数を示し、
前記第１のDCI又は前記第２のDCIを端末に送信する、
無線通信方法。
【請求項２】
前記周波数領域情報フィールドは、前記狭帯域における前記PRBの周波数領域における位置をさらに示す、
請求項１に記載の無線通信方法。
【請求項３】
前記狭帯域は６PRBである、
請求項１に記載の無線通信方法。
【請求項４】
前記第１のDCIのフォーマットは閾値以下の第１のカバレッジ拡張レベルのために使用され、前記第２のDCIのフォーマットは前記閾値より大きい第２のカバレッジ拡張レベルのために使用され、
前記第１のDCIのフォーマットのビット数は、前記第２のDCIのフォーマットのビット数よりも多い、
請求項１に記載の無線通信方法。
【請求項５】
前記第２のDCIのフォーマットに含まれる少なくとも１つのフィールドは前記第１のDCIのフォーマットに含まれる前記フィールドよりもビット数が小さい、
請求項１に記載の無線通信方法。
【請求項６】
前記第２のDCIのフォーマットは前記時間領域情報フィールドを含み、前記第２のDCIのフォーマットでは前記第１のDCIのフォーマットと比較して前記時間領域情報フィールドで指示できる時間領域における前記PDSCHの最大の繰り返し回数が大きい、
請求項１に記載の無線通信方法。
【請求項７】
前記第２のDCIのフォーマットは前記周波数領域情報フィールド及び前記時間領域情報フィールドを含み、前記第２のDCIのフォーマットにおいて前記時間領域情報フィールドのビット数は前記周波数領域情報フィールドのビット数よりも多い、
請求項１に記載の無線通信方法。
【請求項８】
前記第２のDCIのフォーマットは前記周波数領域情報フィールド及び前記時間領域情報フィールドを含み、前記第２のDCIのフォーマットにおける前記時間領域情報フィールドの取り得るパターン数は前記第１のDCIのフォーマットにおける前記時間領域情報フィールドの取り得るパターン数よりも多く、前記第２のDCIのフォーマットにおける前記時間領域情報フィールド及び前記周波数領域情報フィールドの組合せが取り得るパターン数は前記第１のDCIのフォーマットにおける前記時間領域情報フィールド及び前記周波数領域情報フィールドの組合せが取り得るパターン数よりも少ない、
請求項１に記載の無線通信方法。
【請求項９】
第１の下り制御情報（DCI）又は第２のDCIを生成する制御情報生成回路と、
前記第１のDCI又は前記第２のDCIを端末に送信する送信機と、を有し、
前記第１のDCIのフォーマットは前記第２のDCIのフォーマットに含まれる全てのフィールド及び前記フィールド以外のフィールドを含み、前記第１のDCIのフォーマットに含まれる周波数領域情報フィールドは全送信帯域の一部である狭帯域におけるPhysical Resource Block（PRB）の個数を示し、前記第１のDCIのフォーマットに含まれる時間領域情報フィールドは時間領域におけるPhysical downlink shared channel(PDSCH)の繰り返し回数を示す、
無線通信装置。
【請求項１０】
前記周波数領域情報フィールドは、前記狭帯域における前記PRBの周波数領域における位置をさらに示す、
請求項９に記載の無線通信装置。
【請求項１１】
前記狭帯域は６PRBである、
請求項９に記載の無線通信装置。
【請求項１２】
前記第１のDCIのフォーマットは閾値以下の第１のカバレッジ拡張レベルのために使用され、前記第２のDCIのフォーマットは前記閾値より大きい第２のカバレッジ拡張レベルのために使用され、
前記第１のDCIのフォーマットのビット数は前記第２のDCIのフォーマットのビット数よりも多い、
請求項９に記載の無線通信装置。
【請求項１３】
前記第２のDCIのフォーマットに含まれる少なくとも１つのフィールドは前記第１のDCIのフォーマットに含まれる前記フィールドよりもビット数が小さい、
請求項９に記載の無線通信装置。
【請求項１４】
前記第２のDCIのフォーマットは前記時間領域情報フィールドを含み、前記第２のDCIのフォーマットでは前記第１のDCIのフォーマットと比較して前記時間領域情報フィールドで指示できる時間領域における前記PDSCHの最大の繰り返し回数が大きい、
請求項９に記載の無線通信装置。
【請求項１５】
前記第２のDCIのフォーマットは前記周波数領域情報フィールド及び前記時間領域情報フィールドを含み、前記第２のDCIのフォーマットにおいて前記時間領域情報フィールドのビット数は前記周波数領域情報フィールドのビット数よりも多い、
請求項９に記載の無線通信装置。
【請求項１６】
前記第２のDCIのフォーマットは前記周波数領域情報フィールド及び前記時間領域情報フィールドを含み、前記第２のDCIのフォーマットにおける前記時間領域情報フィールドの取り得るパターン数は前記第１のDCIのフォーマットにおける前記時間領域情報フィールドの取り得るパターン数よりも多く、前記第２のDCIのフォーマットにおける前記時間領域情報フィールド及び前記周波数領域情報フィールドの組合せが取り得るパターン数は前記第１のDCIのフォーマットにおける前記時間領域情報フィールド及び前記周波数領域情報フィールドの組合せが取り得るパターン数よりも少ない、
請求項９に記載の無線通信装置。
【請求項１７】
第１の下り制御情報（DCI）又は第２のDCIを生成する処理と、
前記第１のDCI又は前記第２のDCIを端末に送信する処理と、を制御し、
前記第１のDCIのフォーマットは前記第２のDCIのフォーマットに含まれる全てのフィールド及び前記フィールド以外のフィールドを含み、前記第１のDCIのフォーマットに含まれる周波数領域情報フィールドは全送信帯域の一部である狭帯域におけるPhysical Resource Block（PRB）の個数を示し、前記第１のDCIのフォーマットに含まれる時間領域情報フィールドは時間領域におけるPhysical downlink shared channel(PDSCH)の繰り返し回数を示す、
集積回路。
【請求項１８】
前記周波数領域情報フィールドは、前記狭帯域における前記PRBの周波数領域における位置をさらに示す、
請求項１７に記載の集積回路。
【請求項１９】
前記狭帯域は６PRBである、
請求項１７に記載の集積回路。
【請求項２０】
前記第１のDCIのフォーマットは閾値以下の第１のカバレッジ拡張レベルのために使用され、前記第２のDCIのフォーマットは前記閾値より大きい第２のカバレッジ拡張レベルのために使用され、
前記第１のDCIのフォーマットのビット数は、前記第２のDCIのフォーマットのビット数よりも多い、
請求項１７に記載の集積回路。
【請求項２１】
前記第２のDCIのフォーマットに含まれる少なくとも１つのフィールドは前記第１のDCIのフォーマットに含まれる前記フィールドよりもビット数が小さい、
請求項１７に記載の集積回路。
【請求項２２】
前記第２のDCIのフォーマットは前記時間領域情報フィールドを含み、前記第２のDCIのフォーマットでは前記第１のDCIのフォーマットと比較して前記時間領域情報フィールドで指示できる時間領域における前記PDSCHの最大の繰り返し回数が大きい、
請求項１７に記載の集積回路。
【請求項２３】
前記第２のDCIのフォーマットは前記周波数領域情報フィールド及び前記時間領域情報フィールドを含み、前記第２のDCIのフォーマットにおいて前記時間領域情報フィールドのビット数は前記周波数領域情報フィールドのビット数よりも多い、
請求項１７に記載の集積回路。
【請求項２４】
前記第２のDCIのフォーマットは前記周波数領域情報フィールド及び前記時間領域情報フィールドを含み、前記第２のDCIのフォーマットにおける前記時間領域情報フィールドの取り得るパターン数は前記第１のDCIのフォーマットにおける前記時間領域情報フィールドの取り得るパターン数よりも多く、前記第２のDCIのフォーマットにおける前記時間領域情報フィールド及び前記周波数領域情報フィールドの組合せが取り得るパターン数は前記第１のDCIのフォーマットにおける前記時間領域情報フィールド及び前記周波数領域情報フィールドの組合せが取り得るパターン数よりも少ない、
請求項１７に記載の集積回路。
【発明の詳細な説明】
【技術分野】
【０００１】
本開示は、無線通信の技術分野に関し、より詳細には、無線通信方法、ｅＮｏｄｅＢ（ｅＮＢ）、およびユーザ機器（ＵＥ：User Equipment）に関する。
【背景技術】
【０００２】
マシンタイプ通信（ＭＴＣ：Machine-Type Communication）は、３ＧＰＰリリース１２における新しいタイプの通信であり、通信事業者にとって重要な収入源である。カバレッジ拡張技術は、建物侵入損失に起因して信号強度が大きく低下する地下室におけるセンサなど、いくつかのＭＴＣ  ＵＥにおいて極めて有用である。カバレッジ拡張を使用するＭＴＣの場合、レピティション（repetition）は、カバレッジを拡張するための基本的な解決策である。
【先行技術文献】
【非特許文献】
【０００３】
【非特許文献１】“Draft Report of 3GPP TSG RAN WG1 #80 v0.2.0”
【発明の概要】
【課題を解決するための手段】
【０００４】
本発明を制限することのない例示的な一実施形態は、カバレッジ拡張を必要としうるＵＥへのダウンリンク制御情報（ＤＣＩ：Downlink Control Information）を設計する方法を提供する。
【０００５】
本開示の第１の一般的な態様においては、ｅＮｏｄｅＢ（ｅＮＢ）によって実行される無線通信方法であって、ダウンリンク制御情報（ＤＣＩ）をユーザ機器（ＵＥ）に送信するステップ、を含み、ＤＣＩがＵＥのカバレッジ拡張レベルに基づいて設計されている、無線通信方法、を提供する。
【０００６】
本開示の第２の一般的な態様においては、ユーザ機器（ＵＥ）によって実行される無線通信方法であって、ｅＮｏｄｅＢ（ｅＮＢ）から送信されるダウンリンク制御情報（ＤＣＩ）を受信するステップ、を含み、ＤＣＩがＵＥのカバレッジ拡張レベルに基づいて設計されている、無線通信方法、を提供する。
【０００７】
本開示の第３の一般的な態様においては、無線通信のためのｅＮｏｄｅＢ（ｅＮＢ）であって、ダウンリンク制御情報（ＤＣＩ）をユーザ機器（ＵＥ）に送信する送信部、を備えており、ＤＣＩがＵＥのカバレッジ拡張レベルに基づいて設計されている、ｅＮｏｄｅＢ（ｅＮＢ）、を提供する。
【０００８】
本開示の第４の一般的な態様においては、無線通信のためのユーザ機器（ＵＥ）であって、ｅＮｏｄｅＢ（ｅＮＢ）から送信されるダウンリンク制御情報（ＤＣＩ）を受信する受信部、を備えており、ＤＣＩがＵＥのカバレッジ拡張レベルに基づいて設計されている、ユーザ機器（ＵＥ）、を提供する。
【０００９】
なお、一般的または具体的な実施形態は、システム、方法、集積回路、コンピュータプログラム、記憶媒体、またはこれらの任意の選択的な組合せ、として実施できることに留意されたい。
【００１０】
開示されている実施形態のさらなる恩恵および利点は、本明細書および図面から明らかになるであろう。これらの恩恵および／または利点は、本明細書および図面のさまざまな実施形態および特徴によって、個別に得ることができ、このような恩恵および／または利点の１つまたは複数を得る目的で、実施形態および特徴すべてを設ける必要はない。
【００１１】
本開示の上記の特徴およびそれ以外の特徴は、以下の説明および添付の「特許請求の範囲」を、添付の図面を参照しながら読み進めることによって、さらに完全に明らかになるであろう。なお、これらの図面は、本開示によるいくつかの実施形態のみを示しており、したがってこれらの図面は、本開示の範囲を制限するものとはみなされないことを理解されたい。以下では、本開示について、添付の図面を使用することによってさらに具体的かつ詳細に説明する。
【図面の簡単な説明】
【００１２】
【図１】本開示の一実施形態に係るｅＮＢにおける無線通信方法のフロー図を概略的に示している。
【図２】本開示の一実施形態に係るＵＥにおける無線通信方法のフロー図を概略的に示している。
【図３】本開示の一実施形態に係る無線通信のためのｅＮＢのブロック図を概略的に示している。
【図４】本開示の一実施形態に係る無線通信のためのＵＥのブロック図を概略的に示している。
【発明を実施するための形態】
【００１３】
以下の詳細な説明においては、添付の図面を参照し、これらの図面は説明の一部を形成している。図面においては、前後関係から不適切でない限り、基本的に、類似する記号は類似する要素を表している。なお、本開示の態様は、さまざまな異なる構造・構成に配置する、置き換える、組み合わせる、設計することができ、そのような態様すべては明示的に意図されたものであり本開示の一部を形成することが、容易に理解されるであろう。
【００１４】
本開示において、ＭＴＣ（マシンタイプ通信）は、本開示の原理を説明するための例として理解することができる。しかしながら、本開示に開示されている無線通信方法は、ＭＴＣに適用することができるのみならず、ＬＴＥの仕様に準拠する別の通信などＭＴＣ以外の無線通信にも、それらの無線通信がカバレッジ拡張（ＣＥ：coverage enhancement）を必要としうるならば、適用することができることに留意されたい。したがって、ＵＥはＭＴＣ  ＵＥに限定されず、本開示に記載されている通信方法を実行することのできる任意の別のＵＥとすることができる。
【００１５】
カバレッジ拡張（ＭＴＣにおいて例えば１５ｄＢ）を使用する無線通信の場合、送信されるチャネル（例：ＰＤＳＣＨ（Physical Downlink Shared Channel：物理ダウンリンク共有チャネル）またはＰＵＳＣＨ（Physical Uplink Shared Channel：物理アップリンク共有チャネル））のレピティションは、カバレッジを拡張するための基本的な解決策とすることができる。カバレッジ拡張を使用するチャネルのためのＤＣＩ（ダウンリンク制御情報）は、時間領域および周波数領域の両方におけるリソース割当てを示す必要があり得る。例えばカバレッジ拡張を使用するチャネルのリソースを割り当てるための、比較的サイズが小さいＤＣＩを設計する方法は、カバレッジ拡張を使用する無線通信の重要な課題になる。
【００１６】
例えば、ＭＴＣ  ＵＥの場合、ＤＣＩのサイズは極めて重要である。なぜなら、ＤＣＩのサイズはＵＥのアクティブ時間（active time）に大きく影響するためである。アクティブ時間とは、物理信号を送信または受信する目的でＵＥのＲＦ／ベースバンドが動作状態を維持する期間を意味する。アクティブ時間はＵＥの電力消費量を反映し、主として時間領域におけるレピティションに関連する。より小さいＤＣＩのサイズは、ＵＥがそのＤＣＩを受信するのに使用する時間がより少ないことを意味しうる。例えば、小さいＤＣＩの各レピティションが１個のＥＣＣＥ（Enhanced Control Channel Element：拡張制御チャネルエレメント）（ＥＣＣＥあたり３６個のＲＥ（Resource Element：リソースエレメント））によって送信され、ＱＰＳＫ（Quadrature Phase Shift Keying）、符号化率１／３、および狭帯域がフル（６個のＰＲＢ）に占有され、合計のレピティション回数が９６であると想定すると、ＵＥはそのようなＤＣＩを受信するのに４つのサブフレームを必要とするのみである。
【００１７】
しかしながら、より大きいサイズのＤＣＩの各レピティションが１個のＰＲＢペアによって送信され、狭帯域がフルに占有され、合計のレピティション回数が９６であると想定すると、ＵＥはそのようなＤＣＩを受信するのに１６個のサブフレームを必要とする。したがって、より小さいサイズのＤＣＩを設計することは重要である。さらにそのようなＤＣＩは、１個のＰＲＢペアではなく１個のＥＣＣＥなど、より少ないリソースによって送信されることができる。
【００１８】
さらには、１個のＥＣＣＥは２４ビットのみを伝えることができる。すなわちＣＲＣ（Cyclic Redundancy Check：巡回冗長検査）が１６ビットを使用すると想定すると、８ビットのペイロードサイズをサポートできるのみである。したがって、ＤＣＩを送信するのに１個のＥＣＣＥなどの少ないリソースを想定すると、ＤＣＩのペイロードサイズの要件は極めてタイトである。１ビットまたは２ビット増えると、ＤＣＩを送信するのにさらなるＥＣＣＥが必要となる。
【００１９】
上記に鑑み、カバレッジ拡張を使用するそのようなチャネルのための、比較的小さいサイズのＤＣＩを設計する方法は、カバレッジ拡張を使用する無線通信において重要な課題である。
【００２０】
本開示の一実施形態は、図１に示すように、ｅＮＢによって実行される無線通信方法１００を提供する。図１は、本開示の一実施形態による無線通信方法１００のフロー図を概略的に示している。無線通信方法１００は、ＤＣＩをＵＥに送信するステップ１０１、を含む。この場合、ＤＣＩは、ＵＥのカバレッジ拡張レベルに基づいて設計されている。
【００２１】
ＣＥ（カバレッジ拡張）を使用するＵＥの状況は、環境、ｅＮＢまでの距離、建物侵入損失などによって異なりうる。したがって、無線通信の設計では、複数の異なるカバレッジ拡張レベル（５ｄＢ、１０ｄＢ、１５ｄＢなど）を考慮する必要がありうる。したがって、ＵＥのカバレッジ拡張レベルに基づいてＤＣＩを設計することができる。なお、ＤＣＩのいずれかのフィールド（例えばリソース割当てフィールド）がカバレッジ拡張レベルに基づいて設計されていれば、そのＤＣＩはカバレッジ拡張レベルに基づいて設計されているとみなされることに留意されたい。例えば、後から詳しく説明するように、ＤＣＩにおけるリソース割当てフィールドは、カバレッジ拡張レベルに関連付けられるインデックスを含む。したがって、そのようなＤＣＩはカバレッジ拡張レベルに基づいて設計されているとみなされる。
【００２２】
例示的な一実施形態においては、カバレッジ拡張レベルの異なるセットに対して、ＤＣＩは異なるサイズを使用することができる。例えば、カバレッジ拡張レベルを所定のレベルと比較することによって、カバレッジ拡張レベルを２つのセットに分けることができる。あるカバレッジ拡張レベルが所定のレベルより大きい場合、そのカバレッジ拡張レベルは大きいカバレッジ拡張レベルとみなされ、大きいＣＥレベルセットに割り当てられる。あるカバレッジ拡張レベルが所定のレベルより小さい場合、そのカバレッジ拡張レベルは小さいカバレッジ拡張レベルとみなされ、小さいＣＥレベルセットに割り当てられる。ＵＥのカバレッジ拡張レベルは、ＲＲＣ層によって設定することができ、所定のレベルは標準規格に規定する、またはＲＲＣ層によって設定することができる。
【００２３】
例えば、小さいカバレッジ拡張レベルに対しては、ＤＣＩの２６ビットのペイロードサイズを使用することができる。大きいカバレッジ拡張レベルに対しては、ＤＣＩの１１ビットのペイロードサイズを使用することができる。
【００２４】
表１は、小さいカバレッジ拡張レベルおよび大きいカバレッジ拡張レベルそれぞれに対する２つの異なるＤＣＩ（ＤＣＩ  １および  ＤＣＩ  ２）が設計されていることを示している。
【表１】
0006590939.tif 000002
【００２５】
表１の例では、大きいＣＥレベル用のＤＣＩ  ２は、ＳＲＳ要求など多くの特性が必要ないためサイズがはるかに小さい。
【００２６】
表２は、小さいカバレッジ拡張レベルおよび大きいカバレッジ拡張レベルの双方に共通のＤＣＩ（ただし異なるＣＥレベルの間でフィールドの解釈が異なる）が設計されていることを示している。
【表２】
0006590939.tif 000003
【００２７】
表１および表２に例示的に示したように、カバレッジ拡張レベルの異なるセットに対して、ＤＣＩが異なるサイズを使用するとき、大きいカバレッジ拡張レベル用のＤＣＩは、はるかに少ないビットを使用することができる。なお、この場合、小さいカバレッジ拡張レベルには、カバレッジ拡張なしの場合も含まれることに留意されたい。
【００２８】
これに加えて、またはこれに代えて、本開示の一実施形態においては、カバレッジ拡張レベルに基づいてＤＣＩによってスケジューリングされるチャネル（例：ＰＤＳＣＨまたはＰＵＳＣＨ）のカバレッジ拡張は、少なくとも、そのチャネルのレピティション総数を表すレピティション数を有する、時間領域におけるレピティションおよび／または周波数領域におけるレピティションによって実現することができる。また、ＤＣＩにおけるリソース割当てフィールドは、レピティション数に関連付けられる１つのインデックスを使用して、時間領域および周波数領域の双方におけるリソース割当てをまとめて通知する。この実施形態は、ＵＥのカバレッジ拡張レベルに基づいてＤＣＩを設計する別の例示的な方法である。
【００２９】
レピティションは、チャネルのカバレッジを拡張するための効果的な方法である。レピティションは時間領域において行うことができる。例えば、複数のサブフレームを使用してトランスポートブロックをレピティション送信することができる。レピティションは周波数領域において行うこともできる。例えば、周波数領域における複数のＰＲＢを使用してトランスポートブロックを送信する。周波数領域におけるアグリゲーションは、周波数領域におけるレピティションの１つの方法である。当然ながら、時間領域および周波数領域の双方においてレピティションを行うこともできる。カバレッジ拡張を必要とするチャネル（例：ＰＵＳＣＨまたはＰＤＣＣＨ）をスケジューリングするＤＣＩは、時間領域および周波数領域の双方におけるリソース割当てを示す必要がありうる。リソース割当ては、リソース割当てフィールドにおいて示すことができる。リソース割当てフィールドは、例えば、レピティションのために使用されるサブフレーム数および周波数領域におけるＰＲＢ数を示す必要がありうる。オプションとして、リソース割当てフィールドは、周波数領域におけるリソース位置を示す必要もありうる。レピティションの総数（レピティション数）は、時間領域におけるサブフレーム数と周波数領域におけるＰＲＢ数の積（単位：ＰＲＢペア）とすることができる。例えば、１００回のレピティション（ＰＲＢペア）を、２ＰＲＢ×５０サブフレーム（すなわちレピティション数が１００）によって反映することができる。これに代えて、レピティション数をＰＲＢ単位とすることもできる。例えば、２００回のレピティション（ＰＲＢ）を、２ＰＲＢ×１００スロット（５０サブフレーム）によって反映することができる。本開示では、ＰＲＢペアの単位を使用してレピティション数を示す。
【００３０】
リソース割当てフィールドの設計の１つの例は、時間領域と周波数領域を個別に指示（indicate）ことである。例えば、時間領域におけるサブフレーム数を示すために１つのフィールドを使用し、周波数領域における、例えば狭帯域（６個のＰＲＢ）の中のＰＲＢ数および／または位置を示すために、別のフィールドを使用する。表３は、このように個別に指示する方法の一例を示している。
【表３】
0006590939.tif 000004
【００３１】
表３の例では、時間領域におけるレピティションを示すために２ビットが使用され、周波数領域におけるレピティションを示すために３ビットが使用される。したがって、リソース割当てフィールド用に合計で５ビットが必要である。なお、この例では、周波数領域におけるＰＲＢ数のみを示し、周波数領域における（１つまたは複数の）リソース位置を示さないことに留意されたい。（１つまたは複数の）リソース位置は、例えばＲＲＣ層によって設定する、またはＵＥの識別情報（ＩＤ）に基づいて設定することができる。
【００３２】
表４は、個別に指示する方法の別の例を示しており、この例では周波数領域における（１つまたは複数の）リソース位置が示される。
【表４】
0006590939.tif 000005
【００３３】
表４の例では、時間領域におけるレピティションを示すために２ビットが使用され、周波数領域におけるレピティションを示すために５ビットが使用される。したがって、リソース割当てフィールド用に合計で７ビットが必要である。
【００３４】
表３および表４に例示的に示した個別に指示する方法の利点は、リソース割当てにおける柔軟性である。しかしながら、この方法の問題点として、リソース割当てのためのフィールドのサイズが比較的大きく、したがってＤＣＩのサイズも大きくなることがあり、例えばＰＤＳＣＨを受信するためのＵＥのアクティブ時間が最適化されない。
【００３５】
本開示の一実施形態においては、リソース割当てをまとめて通知する方法を提案する。すなわち、ＤＣＩにおけるリソース割当てフィールドは、レピティション数に関連付けられる１つのインデックスを使用して、時間領域および周波数領域の双方におけるリソース割当てをまとめて通知する。なお、１つのレピティション数が、その１つのレピティション数に対する１つまたは複数の具体的なリソース割当て方法を表す１つまたは複数のインデックスに対応することがあることに留意されたい。まとめて通知する方法は、リソース割当てのためのフィールドサイズを低減することができる。表３の例において、時間領域において２つのさらなる可能なレピティション数（例：６回および８回のレピティション）が追加される場合、５つの可能なレピティション数（１回、２回、４回、６回、８回）を示すのに３ビットが必要である。したがって、個別に指示する方法が使用される場合、合計で６ビット（時間領域用の３ビットと周波数領域用の３ビット）が必要である。しかしながら、まとめて通知する方法が使用される場合、３０個の可能なレピティション数（時間領域における５×周波数領域における６）を示すのに５ビットのみが必要である。１個のビットが節約される。これらの５ビットは、レピティション数に関連付けられるインデックスを構成する。この実施形態では、オプションとして、リソース割当てフィールドの中の、レピティション数に関連付けられるインデックスによって、トランスポートブロックサイズも求めることができる。例えば、より小さいレピティション数は、より小さいトランスポートブロックサイズを示すことができ、より大きいレピティション数は、より大きいトランスポートブロックサイズを示すことができる。
【００３６】
さらなる実施形態においては、レピティション数の同一の値に対して、時間領域において同一のレピティション数を使用する。言い換えれば、１つのレピティション数に対して、時間領域におけるレピティション数と周波数領域におけるレピティション数（ＰＲＢの数）のただ１つの組合せを使用する。例えば、レピティション数が８であると想定すると、リソース割当ては、周波数領域における２個のＰＲＢ×時間領域における４つのサブフレーム（簡略的には２ＰＲＢ×４サブフレーム）、または４ＰＲＢ×２サブフレームとすることができる。しかしながら、この実施形態によると、レピティション数８の場合、時間領域におけるただ１つの可能なレピティション数を使用することができ、ＵＥはそれを事前に認識している。例えば、時間領域におけるレピティション数を４つのサブフレームまたは２つのサブフレームのいずれかとすることができ、これに対応して、周波数領域におけるレピティション数を２個のＰＲＢまたは４個のＰＲＢのいずれかとすることができる。各レピティション数に対する時間領域におけるレピティション数または周波数領域におけるレピティション数の選択は、例えばＲＲＣ層によって設定する、または標準規格に規定することができる。したがってＵＥは、レピティション数に対応するインデックスを受信したとき、時間領域におけるレピティション数と周波数領域におけるレピティション数を決定することができる。このようにすることで、リソース割当てフィールドのサイズを小さくすることができる。なぜなら、１つのレピティション数に対して、時間領域におけるレピティション数と周波数領域におけるレピティション数のただ１つの組合せを示せばよいためである。表５は、表３の条件において、各レピティション数が、時間領域におけるレピティション数と周波数領域におけるレピティション数の１つの組合せを有するのみである実施形態の具体的な例を示している。
【表５】
0006590939.tif 000006
【００３７】
表５では、各レピティション数は、時間領域におけるレピティション数と周波数領域におけるレピティション数の１つの組合せを有するのみである。したがって、リソース割当てフィールドには３ビットのみが必要であり、表３に示した方法と比較して２ビットが節約される。
【００３８】
表６は、表４の条件において、各レピティション数が、時間領域におけるレピティション数と周波数領域におけるレピティション数の１つの組合せを有するのみである実施形態の別の具体的な例を示している。
【表６】
0006590939.tif 000007
【００３９】
表６では、各レピティション数は、時間領域におけるレピティション数と周波数領域におけるレピティション数の１つの組合せを有するのみである。したがって、リソース割当てフィールドには５ビットのみが必要であり、表４に示した方法と比較して２ビットが節約される。
【００４０】
時間領域におけるレピティション数と周波数領域におけるレピティション数の異なる組合せの間にパフォーマンスの差がほとんどないという理由に基づいたとき、各レピティション数が、時間領域におけるレピティション数と周波数領域におけるレピティション数のただ１つの組合せを有することは合理的である。例えばリソース割当てにおいて、２ＰＲＢ×４サブフレームと、４ＰＲＢ×２サブフレームとの間には、パフォーマンスの差がほとんどない。第一に、現在の３ＧＰＰ合意に基づき、シンボルレベルの合成を実施するため「マルチサブフレーム」（“multiple subframes”）の中では周波数ホッピングが無効である（非特許文献１を参照）。言い換えれば、「マルチサブフレーム」の中では、リソースは周波数領域における位置を同じに維持するべきである。「マルチサブフレーム」の値は、例えば４とすることができる。第二に、レピティション総数は同じであり、例えば２ＰＲＢ×４サブフレームによって８回のレピティションを実現することができ、４ＰＲＢ×２サブフレームも８回のレピティションを実現することができる。したがって、各レピティション数が、時間領域におけるレピティション数と周波数領域におけるレピティション数のただ１つの組合せを有する実施形態では、パフォーマンスがほとんど変化しないままで、リソース割当てのためのフィールドのサイズを小さくすることができる。
【００４１】
さらなる実施形態においては、レピティション数の同一の値に対して、時間領域における最も少ない可能なレピティションを割り当てることができる。言い換えれば、ＵＥのアクティブ時間を短縮し、ＵＥの電力消費量を減らすために、時間領域におけるレピティションをできる限り少ない回数を使用するべきである。ＵＥのアクティブ時間は、時間領域におけるレピティション数に関連する。時間領域におけるレピティション数が小さいほど、ＵＥのアクティブ時間も少ない。例えば、レピティション総数が８の場合、周波数領域における合計６個のＰＲＢの狭帯域を想定したとき、この実施形態によると「４ＰＲＢ×２サブフレーム」のリソース割当てを使用するべきである。なぜなら、時間領域における２つのサブフレームのレピティションが、最も少ない可能なレピティションであり、この場合にＵＥのアクティブ時間が最小であるためである。例えば、「２ＰＲＢ×４サブフレーム」は、時間領域におけるレピティションは多いが周波数領域におけるレピティションが少なく、「４ＰＲＢ×２サブフレーム」は、周波数領域におけるレピティションは多いが時間領域におけるレピティションが少ない。したがって、レピティションによって発生するＵＥのアクティブ時間は、「４ＰＲＢ×２サブフレーム」の場合よりも「２ＰＲＢ×４サブフレーム」の場合に大きい。「２ＰＲＢ×４サブフレーム」の場合、ＵＥは４つのサブフレームにわたりアクティブ状態を維持するが、「４ＰＲＢ×２サブフレーム」の場合には２つのサブフレームにわたりアクティブ状態を維持するのみでよい。具体的な例として、この実施形態は表５および表６に適用することができる。
【００４２】
さらなる実施形態においては、レピティション数の少なくとも１つの値に対するリソース割当ての周波数位置の候補として、周波数領域におけるすべての可能なリソース位置のうち適切な部分集合のみが考慮される。言い換えれば、周波数領域においては（すべての可能なリソース位置ではなく）限られたリソース候補のみが維持される。なぜなら、狭帯域の中では大きなスケジューリング利得が得られないためである。このようにすることで、リソース割当てフィールドのサイズをさらに小さくすることができる。表７は、表６の条件における、周波数領域における限られたリソース候補の例である。
【表７】
0006590939.tif 000008
【００４３】
表７では、レピティション数１の場合、（狭帯域を想定したとき）６つの候補のうち３つの候補（Ｘ１，Ｙ１，Ｚ１）のみが考慮され、レピティション数２の場合には、５つの候補のうち３つの候補（Ｘ２，Ｙ２，Ｚ２）のみが考慮され、以下同様である。この例では、４ビットのみが必要である。したがって、表６と比較して１ビットがさらに節約される。リソース候補のセット（すなわちすべての可能なリソース位置のうちの適切な部分集合）は、ＲＲＣ層によって設定する、またはＵＥのＩＤに基づいて決定することができる。
【００４４】
ここまでの実施形態は、任意の拡張レベルまたは任意のレピティション数に対して、任意のアップリンクチャネル（例：ＰＵＳＣＨ）またはダウンリンクチャネル（例：ＰＤＳＣＨ）に使用することができる。一例においては、ここまでの実施形態は、小さい拡張レベルまたはレピティション数の場合のダウンリンクチャネルに使用される。カバレッジ拡張レベルが大きいか小さいかは、カバレッジ拡張レベルを所定のレベルと比較することによって決定することができる。所定のレベルは、ＲＲＣ層によって設定する、または標準規格に規定することができる。いくつかの実施形態においては、カバレッジ拡張レベルもＲＲＣ層によって設定することができる。なお、上記のカバレッジ拡張レベルには、拡張なしの場合も含まれ、レピティション数には、レピティションなしの場合も含まれることに留意されたい。例えば、表３〜表７における最初の行は、レピティションなしを表している。
【００４５】
さらなる実施形態においては、カバレッジ拡張レベルが所定のレベルより大きく、かつＤＣＩによってスケジューリングされるチャネルがダウンリンクチャネルである場合、リソース割当てにおいて、周波数領域におけるすべての可能なリソースが割り当てられる。言い換えれば、カバレッジ拡張レベルが大きい場合、ＵＥのアクティブ時間を短縮する目的で、ダウンリンクチャネルにおいて、周波数領域におけるリソース（例えば狭帯域の６個のＰＲＢ）をフルに占有することができる。表８は、周波数リソースをフルに占有する例を示している。
【表８】
0006590939.tif 000009
【００４６】
表８では、周波数領域において狭帯域の６個のＰＲＢすべてが占有されており、リソース割当てを示すのに３ビットのみが必要であり、個別に指示する方法と比較して３ビット節約される。さらに、この実施形態によると、ＵＥのアクティブ時間を短縮することができる。
【００４７】
さらなる実施形態においては、カバレッジ拡張レベルが所定のレベルより大きく、かつＤＣＩによってスケジューリングされるチャネルがアップリンクチャネルである場合、リソース割当てにおいて、周波数領域における１つのみのリソースが割り当てられる。周波数領域における１個のＰＲＢを送信することによって、アップリンクにおいて最大の電力スペクトル密度（ＰＳＤ：Power Spectral Density）を実現することができる。オプションとして、周波数領域におけるこの１つのリソースは、ＲＲＣ層によって設定する、またはＵＥのＩＤに基づいて設定することができる。これに代えて、この１つのリソースのリソース割当て用に、周波数領域における限られたリソース候補を設定することができる。表９は、周波数領域におけるリソース候補の限定と組み合わせての、１個のＰＲＢを送信する例を示している。
【表９】
0006590939.tif 000010
【００４８】
表９では、アップリンクの大きいレピティション数それぞれに対して、周波数領域において、１ＰＲＢ送信及び３つのリソース候補が使用される。言い換えれば、時間領域におけるレピティションのみが複数のオプション（例えば８回、２０回、４０回、１００回など）を有する。リソース割当てのためのフィールドのサイズが、６ビットから５ビットに減る。なお、リソース候補のセット｛Ｘ，Ｙ，Ｚ｝は、ＲＲＣ層によって設定する、またはＵＥのＩＤに基づいて決定することができることに留意されたい。
【００４９】
一実施形態においては、カバレッジ拡張レベルが大きいかまたは小さいかに基づいて、リソース割当てフィールドを解釈することができる。言い換えれば、カバレッジ拡張レベルの異なるセットでは、リソース割当てフィールドの異なる設計を使用することができる。例えば、小さいカバレッジレベルの場合、リソース割当てフィールドの解釈において、表５〜表７のいずれかを使用することができ、大きいカバレッジレベルの場合、リソース割当てフィールドの解釈には、ダウンリンクでは表８、アップリンクでは表９を使用することができる。この例においては、ＵＥは、どの表を使用するべきかを決定する目的でカバレッジ拡張レベルを事前に認識しているものと想定する。例えばＵＥは、ＲＲＣ設定によってこの情報を認識することができる。
【００５０】
別の実施形態においては、例えばシステム情報ブロック（ＳＩＢ：System Information Block）の取得時、またはランダムアクセス期間中に、ＵＥがカバレッジ拡張レベルを認識しない場合、すべての可能なレピティション数を１つの表においてカバーするべきである。なぜなら、カバレッジ拡張レベルは、すべてのＵＥに対して使用するべき共通の情報であるためである。例えば、表１０は、すべての可能なレピティション数（時間領域における１回のレピティションから、時間領域における１０００回のレピティションまで）を含む例示的な表を示している。したがって、ＵＥは、たとえカバレッジ拡張レベルを認識していない場合でも、リソース割当てフィールドを解釈することができる。
【表１０】
0006590939.tif 000011
【００５１】
表１０に示したように、リソース割当てのためのフィールドのサイズは、個別に指示する方法と比較して６ビットから５ビットに減る。なお、表１０は、すべての可能なレピティション数をカバーする解決策の一例にすぎないことに留意されたい。すべての可能なレピティション数をカバーするこの解決策には、前後関係から不適切でない限り、別の実施形態において説明されている技術的な特徴も適用することができる。
【００５２】
本開示の実施形態によると、ＤＣＩのサイズを減らすことができる。いくつかの実施形態においては、ＵＥのアクティブ時間を短縮する、および／または、ＰＳＤ（電力スペクトル密度）を高めることができる。なお、上記の実施形態は、前後関係から不適切でない限り、組み合わせることができることに留意されたい。例えば、カバレッジ拡張レベルの異なるセットに対してＤＣＩのサイズが異なる実施形態を、任意の別の実施形態と組み合わせることができる。
【００５３】
さらにＵＥ側において、本開示の一実施形態は、図２に示したように、ＵＥによって実行される無線通信方法２００を提供する。図２は、本開示の一実施形態による無線通信方法２００のフロー図を概略的に示している。この無線通信方法は、ｅＮＢから送信されるダウンリンク制御情報（ＤＣＩ）を受信するステップ２０１を含む。この場合、ＤＣＩはＵＥのカバレッジ拡張レベルに基づいて設計されている。なお、無線通信１００に関する前の説明を無線通信方法２００にも適用することができることに留意されたい（ここでは説明を繰り返さない）。
【００５４】
さらに、本開示の実施形態は、上述した通信方法を実行するｅＮＢおよびＵＥを提供する。図３は、本開示の一実施形態による、無線通信のためのｅＮＢ  ３００のブロック図を概略的に示している。ｅＮＢ  ３００は、ダウンリンク制御情報（ＤＣＩ）をＵＥに送信する送信部３０１を備えていることができる。この場合、ＤＣＩは、ＵＥのカバレッジ拡張レベルに基づいて設計されている。
【００５５】
本開示によるｅＮＢ  ３００は、オプションとして、ｅＮＢ  ３００の中でさまざまなデータを処理しそれぞれのユニットの動作を制御するための関連するプログラムを実行するＣＰＵ（中央処理装置）３１０、ＣＰＵ  ３１０によってさまざまなプロセスおよび制御を実行するために必要なさまざまなプログラムを格納するＲＯＭ（読み出し専用メモリ）３１３、ＣＰＵ  ３１０によるプロセスおよび制御の手順において一時的に生成される中間データを格納するＲＡＭ（ランダムアクセスメモリ）３１５、および／または、さまざまなプログラムまたはデータなどを格納する記憶装置３１７、を含むことができる。上記の送信部３０１、ＣＰＵ  ３１０、ＲＯＭ  ３１３、ＲＡＭ  ３１５、および／または記憶装置３１７などは、データおよび／または命令バス３２０を介して相互に接続し、互いの間で信号を伝送することができる。
【００５６】
上述したそれぞれのユニットは、本開示の範囲を限定するものではない。本開示の一実装形態によると、上記の送信部３０１の機能をハードウェアによって実施することができ、上記のＣＰＵ  ３１０、ＲＯＭ  ３１３、ＲＡＭ  ３１５、および／または記憶装置３１７は、必要ないことがある。これに代えて、上記の送信部３０１の機能を、上記のＣＰＵ  ３１０、ＲＯＭ  ３１３、ＲＡＭ  ３１５、および／または記憶装置３１７などと組み合わせて、機能ソフトウェアによって実施することもできる。
【００５７】
図４は、本開示の一実施形態による、無線通信のためのＵＥ  ４００のブロック図を概略的に示している。ＵＥ  ４００は、ｅＮＢから送信されるダウンリンク制御情報（ＤＣＩ）を受信する受信部を備えている。この場合、ＤＣＩはＵＥのカバレッジ拡張レベルに基づいて設計されている。
【００５８】
本開示によるＵＥ  ４００は、オプションとして、ＵＥ  ４００の中でさまざまなデータを処理しそれぞれのユニットの動作を制御するための関連するプログラムを実行するＣＰＵ（中央処理装置）４１０、ＣＰＵ  ４１０によってさまざまなプロセスおよび制御を実行するために必要なさまざまなプログラムを格納するＲＯＭ（読み出し専用メモリ）４１３、ＣＰＵ  ４１０によるプロセスおよび制御の手順において一時的に生成される中間データを格納するＲＡＭ（ランダムアクセスメモリ）４１５、および／または、さまざまなプログラムやデータなどを格納する記憶装置４１７、を含むことができる。上記の受信部４０１、ＣＰＵ  ４１０、ＲＯＭ  ４１３、ＲＡＭ  ４１５、および／または記憶装置４１７などは、データおよび／または命令バス４２０を介して相互に接続し、互いの間で信号を伝送することができる。
【００５９】
上述したそれぞれのユニットは、本開示の範囲を限定するものではない。本開示の一実装形態によると、上記の受信部４０１の機能を、ハードウェアによって実施することができ、上記のＣＰＵ  ４１０、ＲＯＭ  ４１３、ＲＡＭ  ４１５、および／または記憶装置４１７は、必要ないことがある。これに代えて、上記の受信部４０１の機能を、上記のＣＰＵ  ４１０、ＲＯＭ  ４１３、ＲＡＭ  ４１５、および／または記憶装置４１７などと組み合わせて、機能ソフトウェアによって実施することもできる。
【００６０】
なお、本通信方法に関する上の説明を、ＵＥまたはｅＮＢにも適用することもできる（ここでは説明を繰り返さない）。
【００６１】
本開示は、ソフトウェアによって、ハードウェアによって、またはハードウェアと協働するソフトウェアによって、実施することができる。上に説明した各実施形態の説明において使用される各機能ブロックは、集積回路としてＬＳＩによって実施することができ、各実施形態において説明した各プロセスは、ＬＳＩによって制御することができる。これらの機能ブロックは、チップとして個別に形成する、または、機能ブロックの一部またはすべてが含まれるように１個のチップを形成することができる。これらのチップは、自身に結合されたデータ入出力部を含むことができる。ＬＳＩは、集積度の違いに応じて、ＩＣ、システムＬＳＩ、スーパーＬＳＩ、またはウルトラＬＳＩとも称される。しかしながら、集積回路を実施する技術は、ＬＳＩに限定されず、専用回路または汎用プロセッサを使用することによって実施することができる。さらには、ＬＳＩの製造後にプログラムすることのできるＦＰＧＡ（フィールドプログラマブルゲートアレイ）または、ＬＳＩ内部に配置されている回路セルの接続および設定を再設定できるリコンフィギャラブルプロセッサを使用することもできる。
【００６２】
なお、本開示は、本明細書に提示した説明および公知の技術に基づき、本開示の内容および範囲から逸脱することなく、当業者によってさまざまに変更または修正されるように意図されており、そのような変更および修正は、保護されるように「特許請求の範囲」に記載された範囲内であることに留意されたい。さらには、本開示の内容から逸脱しない範囲内で、上に説明した実施形態の構成要素を任意に組み合わせることができる。
【００６３】
本開示の実施形態は、少なくとも以下の主題を提供することができる。
１．  ｅＮｏｄｅＢ（ｅＮＢ）によって実行される無線通信方法であって、
ダウンリンク制御情報（ＤＣＩ）をユーザ機器（ＵＥ）に送信するステップ、を含み、
ＤＣＩがＵＥのカバレッジ拡張レベルに基づいて設計されている、
無線通信方法。
２．  カバレッジ拡張レベルに基づいてＤＣＩによってスケジューリングされるチャネルのカバレッジ拡張が、少なくとも、チャネルのレピティションの総数を表すレピティション数を有する、時間領域におけるレピティションおよび／または周波数領域におけるレピティションによって実現され、
ＤＣＩにおけるリソース割当てフィールドが、レピティション数に関連付けられる１つのインデックスを使用して、時間領域および周波数領域の双方におけるリソース割当てをまとめて通知する、
１に記載の無線通信方法。
３．  レピティション数の同一の値に対して、時間領域において同一のレピティション数が使用される、
２に記載の無線通信方法。
４．  レピティション数の同一の値に対して、時間領域における最も少ない可能なレピティションが割り当てられる、
２に記載の無線通信方法。
５．  レピティション数の少なくとも１つの値に対するリソース割当ての周波数位置の候補として、周波数領域におけるすべての可能なリソース位置のうち適切な部分集合のみが考慮される、
２に記載の無線通信方法。
６．  カバレッジ拡張レベルが所定のレベルより大きく、かつ、ＤＣＩによってスケジューリングされるチャネルがダウンリンクチャネルである場合、リソース割当てにおいて、周波数領域におけるすべての可能なリソースが割り当てられる、
２に記載の無線通信方法。
７．  カバレッジ拡張レベルが所定のレベルより大きく、かつ、ＤＣＩによってスケジューリングされるチャネルがアップリンクチャネルである場合、リソース割当てにおいて、周波数領域における１つのみのリソースが割り当てられる、
２に記載の無線通信方法。
８．  周波数領域における１つのリソースが、ＲＲＣ層によって設定される、またはＵＥのＩＤに基づいて設定される、
７に記載の無線通信方法。
９．  カバレッジ拡張レベルが所定のレベルより小さい場合、レピティション数の同一の値に対して、時間領域における最も少ない可能なレピティションが割り当てられる、
７に記載の無線通信方法。
１０．  トランスポートブロックサイズが、リソース割当てフィールドにおけるレピティション数に関連付けられるインデックスによって決定される、
２に記載の無線通信方法。
１１．  カバレッジ拡張レベルの異なるセットに対して、ＤＣＩが異なるサイズを使用する、
１に記載の無線通信方法。
１２．  ユーザ機器（ＵＥ）によって実行される無線通信方法であって、
ｅＮｏｄｅＢ（ｅＮＢ）から送信されるダウンリンク制御情報（ＤＣＩ）を受信するステップ、を含み、
ＤＣＩがＵＥのカバレッジ拡張レベルに基づいて設計されている、
無線通信方法。
１３．  カバレッジ拡張レベルに基づいてＤＣＩによってスケジューリングされるチャネルのカバレッジ拡張が、少なくとも、チャネルのレピティションの総数を表すレピティション数を有する、時間領域におけるレピティションおよび／または周波数領域におけるレピティションによって実現され、
ＤＣＩにおけるリソース割当てフィールドが、レピティション数に関連付けられる１つのインデックスを使用して、時間領域および周波数領域の双方におけるリソース割当てをまとめて通知する、
１２に記載の無線通信方法。
１４．  レピティション数の同一の値に対して、時間領域において同一のレピティション数が使用される、
１３に記載の無線通信方法。
１５．  レピティション数の同一の値に対して、時間領域における最も少ない可能なレピティションが割り当てられる、
１３に記載の無線通信方法。
１６．  レピティション数の少なくとも１つの値に対するリソース割当ての周波数位置の候補として、周波数領域におけるすべての可能なリソース位置のうち適切な部分集合のみが考慮される、
１３に記載の無線通信方法。
１７．  カバレッジ拡張レベルが所定のレベルより大きく、かつ、ＤＣＩによってスケジューリングされるチャネルがダウンリンクチャネルである場合、リソース割当てにおいて、周波数領域におけるすべての可能なリソースが割り当てられる、
１３に記載の無線通信方法。
１８．  カバレッジ拡張レベルが所定のレベルより大きく、かつ、ＤＣＩによってスケジューリングされるチャネルがアップリンクチャネルである場合、リソース割当てにおいて、周波数領域における１つのみのリソースが割り当てられる、
１３に記載の無線通信方法。
１９．  周波数領域における１つのリソースが、ＲＲＣ層によって設定される、またはＵＥのＩＤに基づいて設定される、
１８に記載の無線通信方法。
２０．  カバレッジ拡張レベルが所定のレベルより小さい場合、レピティション数の同一の値に対して、時間領域における最も少ない可能なレピティションが割り当てられる、
１８に記載の無線通信方法。
２１．  トランスポートブロックサイズが、リソース割当てフィールドにおけるレピティション数に関連付けられるインデックスによって決定される、
１３に記載の無線通信方法。
２２．  カバレッジ拡張レベルの異なるセットに対して、ＤＣＩが異なるサイズを使用する、
１２に記載の無線通信方法。
２３．  無線通信のためのｅＮｏｄｅＢ（ｅＮＢ）であって、
ダウンリンク制御情報（ＤＣＩ）をユーザ機器（ＵＥ）に送信する送信部、を備えており、
ＤＣＩがＵＥのカバレッジ拡張レベルに基づいて設計されている、
ｅＮｏｄｅＢ（ｅＮＢ）。
２４．  カバレッジ拡張レベルに基づいてＤＣＩによってスケジューリングされるチャネルのカバレッジ拡張が、少なくとも、チャネルのレピティション総数を表すレピティション数を有する、時間領域におけるレピティションおよび／または周波数領域におけるレピティションによって実現され、
ＤＣＩにおけるリソース割当てフィールドが、レピティション数に関連付けられる１つのインデックスを使用して、時間領域および周波数領域の双方におけるリソース割当てをまとめて通知する、
２３に記載のｅＮＢ。
２５．  レピティション数の同一の値に対して、時間領域におけるレピティションの同じ数が使用される、
２４に記載のｅＮＢ。
２６．  レピティション数の同一の値に対して、時間領域における最も少ない可能なレピティションが割り当てられる、
２４に記載のｅＮＢ。
２７．  レピティション数の少なくとも１つの値に対するリソース割当ての周波数位置の候補として、周波数領域におけるすべての可能なリソース位置のうち適切な部分集合のみが考慮される、
２４に記載のｅＮＢ。
２８．  カバレッジ拡張レベルが所定のレベルより大きく、かつ、ＤＣＩによってスケジューリングされるチャネルがダウンリンクチャネルである場合、リソース割当てにおいて、周波数領域におけるすべての可能なリソースが割り当てられる、
２４に記載のｅＮＢ。
２９．  カバレッジ拡張レベルが所定のレベルより大きく、かつ、ＤＣＩによってスケジューリングされるチャネルがアップリンクチャネルである場合、リソース割当てにおいて、周波数領域における１つのみのリソースが割り当てられる、
２４に記載のｅＮＢ。
３０．  周波数領域における１つのリソースが、ＲＲＣ層によって設定される、またはＵＥのＩＤに基づいて設定される、
２９に記載のｅＮＢ。
３１．  カバレッジ拡張レベルが所定のレベルより小さい場合、レピティション数の同一の値に対して、時間領域における最も少ない可能なレピティションが割り当てられる、
２９に記載のｅＮＢ。
３２．  トランスポートブロックサイズが、リソース割当てフィールドにおけるレピティション数に関連付けられるインデックスによって決定される、
２４に記載のｅＮＢ。
３３．  カバレッジ拡張レベルの異なるセットに対して、ＤＣＩが異なるサイズを使用する、
２３に記載のｅＮＢ。
３４．  無線通信のためのユーザ機器（ＵＥ）であって、
ｅＮｏｄｅＢ（ｅＮＢ）から送信されるダウンリンク制御情報（ＤＣＩ）を受信する受信部、を備えており、
ＤＣＩがＵＥのカバレッジ拡張レベルに基づいて設計されている、
ユーザ機器（ＵＥ）。
３５．  カバレッジ拡張レベルに基づいてＤＣＩによってスケジューリングされるチャネルのカバレッジ拡張が、少なくとも、チャネルのレピティション総数を表すレピティション数を有する、時間領域におけるレピティションおよび／または周波数領域におけるレピティションによって実現され、
ＤＣＩにおけるリソース割当てフィールドが、レピティション数に関連付けられる１つのインデックスを使用して、時間領域および周波数領域の双方におけるリソース割当てをまとめて通知する、
３４に記載のＵＥ。
３６．  レピティション数の同一の値に対して、時間領域におけるレピティションの同じ数が使用される、
３５に記載のＵＥ。
３７．  レピティション数の同一の値に対して、時間領域における最も少ない可能なレピティションが割り当てられる、
３５に記載のＵＥ。
３８．  レピティション数の少なくとも１つの値に対するリソース割当ての周波数位置の候補として、周波数領域におけるすべての可能なリソース位置のうち適切な部分集合のみが考慮される、
３５に記載のＵＥ。
３９．  カバレッジ拡張レベルが所定のレベルより大きく、かつ、ＤＣＩによってスケジューリングされるチャネルがダウンリンクチャネルである場合、リソース割当てにおいて、周波数領域におけるすべての可能なリソースが割り当てられる、
３５に記載のＵＥ。
４０．  カバレッジ拡張レベルが所定のレベルより大きく、かつ、ＤＣＩによってスケジューリングされるチャネルがアップリンクチャネルである場合、リソース割当てにおいて、周波数領域における１つのみのリソースが割り当てられる、
３５に記載のＵＥ。
４１．  周波数領域における１つのリソースが、ＲＲＣ層によって設定される、またはＵＥのＩＤに基づいて設定される、
４０に記載のＵＥ。
４２．  カバレッジ拡張レベルが所定のレベルより小さい場合、レピティション数の同一の値に対して、時間領域における最も少ない可能なレピティションが割り当てられる、
４０に記載のＵＥ。
４３．  トランスポートブロックサイズが、リソース割当てフィールドにおけるレピティション数に関連付けられるインデックスによって決定される、
３５に記載のＵＥ。
４４．  カバレッジ拡張レベルの異なるセットに対して、ＤＣＩが異なるサイズを使用する、
３４に記載のＵＥ。
【００６４】
これに加えて、本開示の実施形態は、上記のそれぞれの通信方法における（１つまたは複数の）ステップを実行する（１つまたは複数の）モジュール、を備えている集積回路、をさらに提供することができる。さらには、本開示の実施形態は、プログラムコードを含むコンピュータプログラムが格納されているコンピュータ可読記憶媒体であって、プログラムコードがコンピューティングデバイスにおいて実行されたとき、プログラムコードが上記のそれぞれの通信方法の（１つまたは複数の）ステップを実行する、コンピュータ可読記憶媒体、を提供することができる。
【図１】
0006590939.tif 000012
【図２】
0006590939.tif 000013
【図３】
0006590939.tif 000014
【図４】
0006590939.tif 000015